(57)【要約】  【課題】  方形箱状の装柱機器を安定した状態で装柱でき、殊に、腕金を介して位置する支持部片に渡して機器を装柱するものであるから、機器からの熱は腕金に伝わりにくい実用的な装柱装置を提供する。  【解決手段】  中央の組付け部片２ａと、該組付け部片２ａの長手方向に沿う両側に相対設した支持部片２ｂ，２ｂ´とで成る取付け金具２の前記組付け部片２ａを、電柱Ｄより片持ち梁状に突設した角筒状の腕金１の上下面に重ね合わせて、一対の前記取付け金具２，２を前記腕金１にボルトで締付ける。そして、各取付け金具２の、一方の前記支持部片２ｂ，２ｂ間に箱状の一方の装柱機器Ｌ１を、他方の前記支持部片２ｂ´，２ｂ´間に箱状の他方の装柱機器Ｌ２をそれぞれ渡して止着ねじ３ａ，３ｂで止着し、また、一方の支持部片２ｂと他方の支持部片２ｂ´には、それぞれ当該支持部片に相対する他の支持部片に重ならない、止着ねじ挿通用の、透孔４ａ，４ｂを長手方向の両側にそれぞれ設ける。【選択図】    図２
2014193066.tif 000002
【特許請求の範囲】
【請求項１】
中央の組付け部片と、該組付け部片の長手方向に沿う両側に相対設した支持部片とで成る取付け金具の前記組付け部片を、電柱より片持ち梁状に突設した角筒状の腕金の上下面に重ね合わせて、一対の前記取付け金具を前記腕金にボルトで締付けると共に、各取付け金具の、一方の前記支持部片間に箱状の一方の装柱機器を、他方の前記支持部片間に箱状の他方の装柱機器をそれぞれ渡して止着ねじで止着した、箱状機器の装柱装置。
【請求項２】
一方の支持部片と他方の支持部片には、それぞれ当該支持部片に相対する他の支持部片に重ならない、止着ねじ挿通用の、透孔を長手方向の両側にそれぞれ設けた、請求項１記載の箱状機器の装柱装置。
【請求項３】
取付け金具は、長手方向の中央部を対称軸とする対称形とした、請求項１又は２の内、いずれか１項記載の箱状機器の装柱装置
【発明の詳細な説明】
【技術分野】
【０００１】
本発明は、概し、箱形状の機器を装柱する際に利用する機器装柱装置に関するものである。
【背景技術】
【０００２】
装柱する機器の上部に、一対のコの字形の支持材を起立させて並設し、該支持材の内側に、電柱に片持ち梁状にして突設した、方形筒状の腕金を、その開口端側から係合し、該開口端を閉塞手段で閉塞するようにした構造のものがある（例えば、特許文献１）。
【先行技術文献】
【特許文献】
【０００３】
【特許文献１】実開平６−１３３３７号公報
【発明の概要】
【発明が解決しようとする課題】
【０００４】
前記公報記載の従来例は、腕金に機器を掛止して装柱するため、風圧などで機器が揺動しようとして、腕金と機器の一体性が保つことが難しく、地震などによる腕金側の揺動に追従できず、装柱状態の安定性に欠ける。
【０００５】
本発明は、斯様な従来例に鑑み、方形箱状の装柱機器を安定した状態にして装柱でき、しかも、電柱周辺の比較的狭い装柱空間域で機器を装柱でき、実用的な機器装柱装置を提供することを目的に創案したものである。
【課題を解決するための手段】
【０００６】
中央の組付け部片と、該組付け部片の長手方向に沿う両側に相対設した支持部片とで成る取付け金具の前記組付け部片を、電柱より片持ち梁状に突設した角筒状の腕金の上下面に重ね合わせて、一対の前記取付け金具を前記腕金にボルトで締付けると共に、各取付け金具の、一方の前記支持部片間に箱状の一方の装柱機器を、他方の前記支持部片間に箱状の他方の装柱機器をそれぞれ渡して止着ねじで止着したことを基本的手段とする。
【０００７】
一方の支持部片と他方の支持部片に、それぞれ当該支持部片に相対する他の支持部片に重ならない、止着ねじ挿通用の透孔を長手方向の両側にそれぞれ設けた構成を前記基本的手段に付加することにより支持部片に装柱機器を直接締付けることができ、装柱機器の取付け操作を支障なく行うことができる。
【０００８】
また、取付け金具を長手方向の中央部を対称軸とする対称形とすることにより、本装置を得るには、単一種の取付け金具を向きを変えて用いることにより容易に得られ、在庫管理上の利便性を期待できると共に、コストを低く押えることができ、実用的である。
【発明の効果】
【０００９】
本発明によれば、組付け部片を角筒状の腕金の上下面に重ね合わせて前記腕金にボルトで締付けるため、方形箱状の装柱機器を安定した状態で装柱でき、殊に、腕金を介して位置する支持部片に渡して機器を装柱するものであるから、機器からの熱は腕金に伝わりにくく実用的である。
【図面の簡単な説明】
【００１０】
【図１】平面図。
【図２】一部欠截正面図。
【図３】図２の一部欠截拡大図。
【図４】図３の側面図。
【図５】取付け金具の正面図。
【図６】取付け金具の平面図。
【図７】取付け金具の側面図。
【図８】取付け金具の背面図。
【発明を実施するための形態】
【００１１】
図面は、本発明に係る機器装柱装置の一実施形態を示し、実施形態の方形筒状の腕金１は、４枚のバンド片（ブレード）Ｂａ，Ｂａ，Ｂａ，Ｂａを組合わせて成る所謂４片式の電柱用バンドＢで、基部を電柱Ｄに取付けて片持ち梁状に突設したものである（なお、３片式の電柱用バンドやバンド片を用いない形式の取付け体を用いて腕金１を電柱に取付ける構造のものでも不都合はない）。
【００１２】
腕金１の先部側の上下面には、機器取付け金具２を、腕金１を介して重ね合わせるように、かつ、腕金１の長手方向に対称的にして取付けてある。
【００１３】
上面側の機器取付け金具２と下面側の機器取付け金具２は、同形なものを互いに１８０度向きを変えて前記腕金１に重ね合わせて配置したもので、長手方向の両側に角根付の固着ボルト３ｃ挿通用の方形状の透孔１０２ａを設けた中央の組付け部片２ａと、該組付け部片２ａの長手方向に沿う両側に折り曲げ状に相対設した一方の支持部片２ｂと他方の一対の支持部片２ｂ´，２ｂ´で成る溝形枠体で成る。
【００１４】
この機器取付け金具２を構成する前記一方の支持部片２ｂは、該支持部片２ｂの自由端の前記長手方向の両側端部を部分的に突設させた支持部２０１ｂを備え、該支持部２０１ｂに止着ねじ３ａ挿通用の縦長な透孔４ａを設けたものである。
【００１５】
また、機器取付け金具２を構成する前記他方の、一対の支持部片２ｂ´，２ｂ´は、前記組付け部片２ａの前記長手方向の両側に、組付け部片２ａに対して直角に起立させて、前記一方の支持部片２ｂに対設させたもので、一方の支持部片２ｂの支持部２０１ｂが組付け部片２ａの長手方向の側端部に配してあるに対し、該側端部を残した内側に設け、前記透孔４ａが支持部片２ｂ´と重ならないようにして該透孔４ａを挿通させた止着ねじ３ａの締付け操作を支障なく行えるようにしてある。
【００１６】
また、他方の支持部片２ｂ´，２ｂ´の自由端部は、組付け部片２ａを基準にして、前記一方の支持部片２ｂの支持部２０１ｂより突出させ、自由端部側に設けた、止着ねじ３ｂ挿通用の透孔４ｂが一方の支持部片２ｂ（支持部２０１ｂ）と重ならないようにして一方の支持部片２ｂ側の前記透孔４ａと同様に透孔４ｂを挿通させた止着ねじ３ｂの締付け操作を支障なく行えるようにしてある。
【００１７】
そして、腕金１の上下両面に機器取付け金具２を、支持部片２ｂ，２ｂ（又は、２ｂ´，２ｂ´）同士が腕金１の同一側面側に位置するようにして組付け部片２ａにおいて重ね合わせ、該一方の金具２側の組付け片２ａに設けた透孔１０２ａと該透孔１０２ａに一致させた腕金１側に設けた透孔１０１ａに固着ボルト３ｃを挿通させ、一方の機器取付け金具２（図示では、腕金１の下面側のものであるが上面側のものでも良い）の組付け部片２ａより突出する固着ボルト３ｃの先端に固着ナット３ｃ´を螺合、締付けることにより、腕金１の上下両面に機器取付け金具２，２が組付けられ、装柱される。
【００１８】
そして、一方の支持部片２ｂ側の透孔４ａと装柱機器Ｌ１に設けたねじ穴Ｌａを一致させて透孔４ａを通じて止着ねじ３ａをねじ穴Ｌａに螺合することにより装柱機器Ｌ１は、４隅において一対の取付け金具２，２に取付けられ、腕金１に接触することなく固着され装柱される。
【００１９】
同様に、他方の支持部片２ｂ´側の透孔４ｂと装柱機器Ｌ２に設けたねじ穴Ｌａ´を一致させて透孔４ｂを通じて止着ねじ３ｂをねじ穴Ｌａ´に螺合することにより装柱機器Ｌ２は、４隅において一対の取付け金具２，２に取付けられ、腕金１に接触することなく固着され装柱される。
【００２０】
なお、実施形態では、機器取付け金具２の組付け部片２ａの横幅を腕金１の横幅より広くして、機器装柱状態時に隙間ａの存在によって機器Ｌ１，Ｌ２が腕金１に直接接触しないようにしてある。これは、隙間ａが確実に形成されるようにして機器Ｌ１，Ｌ２からの熱が腕金１に伝わりにくくするためである。
【００２１】
また、実施形態の機器取付け金具２は、長手方向の中央を通る仮想線を対称軸とする対称形を成すが、これは腕金１に一対の機器Ｌ１，Ｌ２を装柱するに当り、一種の金具２で済ませられる利点を期待するためである。また、機器取付け金具２は一方の支持部片２ｂの自由端側の中央部を含む部分に第一切欠４００を、他方の支持部片２ｂ´，２ｂ´間の、組付け部片２ａから支持部片２ｂ´の自由端部にかけての部分に第二切欠４００´を設けてあるが、これは取付け金具２の軽量化を意図するものである。
【符号の説明】
【００２２】
１            腕金
２            取付け金具
２ａ          組付け部片
２ｂ，２ｂ´  支持部片
３ａ，３ｂ    止着ねじ
４ａ，４ｂ    透孔
【図１】
2014193066.tif 000003
【図２】
2014193066.tif 000004
【図３】
2014193066.tif 000005
【図４】
2014193066.tif 000006
【図５】
2014193066.tif 000007
【図６】
2014193066.tif 000008
【図７】
2014193066.tif 000009
【図８】
2014193066.tif 000010